(57)【要約】【課題】上下臼の粉砕面の上端から排出された粉体を、所定位置の排出口へ移送して排出する粉砕機において、粉体の移送時に静電気が帯電しないようにし、帯電により粉体の排出が困難になることを防止する。また、粉砕機を小型化する。【解決手段】固定の下臼１１と、回転する上臼１６を、これらの粉砕面１１ａ，１６ａを合わせて配設し、投入された被粉砕物を、上下臼の粉砕面１１ａ，１１ｂ間で擂り粉砕しながら上昇させ、粉砕面１１ａ，１１ｂの上端全周から排出させる。上臼１６の上端全外周に、前記排出された粉体が載置する受面１６ｇを形成し、下臼１１の上部には、周方向の一部に排出口１６ｅを形成する。受面１６ｇ上に載置された粉体を、上臼１６の回転により排出口１１ｅへ移送して該排出口１１ｅから排出する。下臼１１の排出部１１ｅに、受面１６ｇ上に載置されて移送されてくる粉体を止める。止部材２０ｆを設ける。【選択図】　　　　図５
2004017010.tif 000002
【特許請求の範囲】
【請求項１】
固定の擂鉢状の下臼と、回転する擂鉢状の上臼を、これらの擂鉢形状の粉砕面を合わせて配設し、投入された被粉砕物を、前記上下臼の粉砕面間で擂り粉砕しながら上昇させ、この粉砕した粉体を、前記粉砕面の上端全周から排出させる粉砕機において、
前記上臼の上端外周に、前記粉砕面から排出された粉体が載置する受面を全周にわたって形成し、前記下臼の上部には、周方向の一部に排出口を形成し、前記上臼の受面上に載置された粉体を、上臼の回転により前記排出口へ移送して該排出口から排出するようにしたことを特徴とする粉砕機。
【請求項２】
前記上臼の受面が、その内側に壁部が形成され外側が開放された略水平面に形成され、かつ、該受面を、前記下臼の上端面より低く形成し、前記下臼の排出口の底面を前記受面よりも低く、かつ、外側に下降する傾斜面に形成した請求項１記載の粉砕機。
【請求項３】
前記上下臼の上部に内蓋を回転不能に備え、該内蓋に、前記上臼における受面上に載置されて移送されてくる粉体を止めて、その粉体を前記排出口へ掻き落とす止部材を設けた請求項１又は２記載の粉砕機。
【発明の詳細な説明】
【０００１】
【発明の属する技術分野】
本願発明は、擂鉢状に形成した上下臼の粉砕面間でお茶のほか、胡麻、麦、そば等の穀物類等を粉砕して適度な粒度（細かさ）の粉体にする粉砕機に関するもので、より詳しくは上下臼の粉砕面で粉砕した粉体を排出させる排出構造に関するものである。
【０００２】
【従来の技術】
お茶のほか、胡麻、麦、そば等の穀物類等を適度な粒度（細かさ）の粉末に粉砕するための粉砕機が特開平１０−４３６１５号公報などで提案されている。
【０００３】
この粉砕機は、擂鉢状に形成した上臼と、擂鉢状に形成した下臼とを、これらの擂鉢形状の粉砕面を合わせて配設し、固定の下臼の上端に合成樹脂製の受け皿部を全周にわたって固設するとともに、その一部に排出口を設け、回転する上臼側には合成樹脂製のヘラ部材を設け、上臼の回転とともにヘラ部材を受け皿部内で周方向に回動させるようにして、上下臼の粉砕面間で粉砕された緑茶等の粉体（粉末）を粉砕面の上端全周部から受け皿部上に排出し、この排出された粉体をヘラ部材の回動によって前記排出口へ掻き集めて排出する構造になっている。
【０００４】
【発明が解決しようとする課題】
前記従来の構造においては、合成樹脂製のヘラ部材が合成樹脂製の受け皿部内を摺接して移動するため、この摺接移動による摩擦により受け皿部に静電気が帯び、粉砕された粉体（粉末）が静電気により排出口に付着してブリッジ状に成長し、排出口が詰まるおそれがある。
【０００５】
また、粉体が静電気の帯電によって受け皿部に付着するため、粉砕機の清掃作業時に、粉体の除去清掃が困難になるおそれがある。
【０００６】
更に、前記受け皿部とヘラ部材を設けることは、その配置スペース分粉砕機が大型化し、この粉砕機を卓上に置く場合の占有面積が大きくなり、他の物の邪魔になりやすい上に、棚等への保管上も不便になる。
【０００７】
そこで本願発明は、前記の問題を解決する粉砕機を提供することを目的とするものである。
【０００８】
【課題を解決するための手段】
前記の課題を解決するために、請求項１記載の第１の発明は、固定の擂鉢状の下臼と、回転する擂鉢状の上臼を、これらの擂鉢形状の粉砕面を合わせて配設し、投入された被粉砕物を、前記上下臼の粉砕面間で擂り粉砕しながら上昇させ、この粉砕した粉体を、前記粉砕面の上端全周から排出させる粉砕機において、
前記上臼の上端外周に、前記粉砕面から排出された粉体が載置する受面を全周にわたって形成し、前記下臼の上部には、周方向の一部に排出口を形成し、前記上臼の受面上に載置された粉体を、上臼の回転により前記排出口へ移送して該排出口から排出するようにしたことを特徴とする粉砕機である。
【０００９】
本発明においては、上下臼の粉砕面間の上端から全周にわたって排出された粉体は、回転する上臼の受面上に全周にわたって載置される。そして、この受面上に載置された粉体は、上臼の回転とともに周方向へ移送され、下臼の周方向の一部に形成された排出口に到達してこの排出口から落下排出される。
【００１０】
この粉体の移送は、前記従来のような合成樹脂製のヘラ部材が使用されず、また、上下臼は通常セラミックス製であるため、前記従来のような静電気の帯電がない。したがって、前記従来のような静電気に起因する問題は発生しない。
【００１１】
請求項２記載の第２の発明は、前記第１の発明において、前記上臼の受面が、その内側に壁部が形成され外側が開放された略水平面に形成され、かつ、該受面を、前記下臼の上端面より低く形成し、前記下臼の排出口の底面を前記受面よりも低く、かつ、外側に下降する傾斜面に形成した粉砕機である。
【００１２】
本発明においては、上臼の受面の内側に壁部が形成され、また、前記排出口以外の部分において、上臼の受面の外側に、下臼の上端による壁部が形成されるため、粉砕面の上端から排出された粉体の受面への載置が良好に行われる上に、受面上の粉体が受面の内側及び排出口以外で外側へこぼれることも防止される。
【００１３】
また、排出口においては、排出口の底面を受面よりも低く形成したので、受面上の粉体を排出口から排出することが支障なく行える。
【００１４】
請求項３記載の第３の発明は、前記第１又は第２の発明において、前記上下臼の上部に内蓋を回転不能に備え、該内蓋に、前記上臼における受面上に載置されて移送されてくる粉体を止めて、その粉体を前記排出口へ掻き落とす止部材を設けた粉砕機である。
【００１５】
本発明においては、上臼の受面上に載置された粉体が受面とともに排出口部へ回転してくると、粉体が固定状態の止部材に当って排出口部で掻き集められるような状態となり、排出口から落下排出され、より確実な排出が行われる。更に、前記止部材を内蓋に形成したので、内蓋の配置とともに止部材を配置できる。
【００１６】
【発明の実施の形態】
本発明の好ましい実施の形態を図に示す実施例に基づいて説明する。
【００１７】
図１乃至図７は第１実施例を示す。
図１は本発明を適用した粉砕機の縦断面図で、粉砕機１は卓上に載置できる底カバー２と、該底カバー２上に嵌合した本体ケース３と、該本体ケース３上に着脱可能に嵌合した上部ケース４と、該上部ケース４上に着脱可能に嵌合したキャップ５とからなり、これらは樹脂材料で形成されている。
【００１８】
前記底カバー２内には駆動用モータ６が収納されており、該駆動用モータ６はコード７を介して家庭用交流電圧１００Ｖコンセントに接続されるようになっている。該駆動用モータ６の駆動軸８の回転は減速歯車群９を介して、本体ケース３内の中央に配置された回転軸１０に伝達されるようになっている。
【００１９】
前記本体ケース３の中央上部には、下臼１１の外面形状（擂鉢形状）に沿った合成樹脂製の下臼ホルダ１２が回転不能に設けられ、該下臼ホルダ１２の内側に下臼１１が回転不能に設けられている。
【００２０】
前記下臼ホルダ１２は図７に示すように、下臼１１の外面に沿った環状の嵌着部１２ａと、該嵌着部１２ａの周方向の一箇所において嵌着部１２ａと一体成形した排出部１２ｂとからなり、排出部１２ｂは上下方向の筒状に形成され、嵌着部１２ａの上端と排出部１２ｂの排出路１２ｃとが連通している。しかも排出部１２ｂの上部には、嵌着部１２ａの排出端１２ｄよりも高い壁１２ｅが形成されている。
【００２１】
下臼１１は図２に示すように、内面に擂鉢状の粉砕面１１ａを形成した擂鉢状に形成され、アルミナ磁器、普通磁器、陶器等のセラミックス製で形成されている。前記粉砕面１１ａには、複数の平行溝からなる主溝１１ｂと、該主溝１１ｂに対して向きを変えた副溝１１ｃが周方向に交互に形成されている。更に、該下臼１１の底壁中央部には軸穴１１ｄが形成されており、該軸穴１１ｄには図１及び図５に示すように、位置決め保持部材１３が接着材等により固設されている。該位置決め保持部材１３の下側には図５に示すように位置決め用溝１３ａが形成されている。
【００２２】
下臼１１の上端部における周方向の一箇所には、排出口１１ｅが切欠して凹状に形成されている。該排出口１１ｅの底面１１ｈの形状は、図２に示すように、内側端１１ｆが下臼１１の上端面１１ｇより下方に位置し、該内側端１１ｆから外側へ向って下方へ傾斜し、該傾斜面の下端に排出端１１ｉを形成している。また、該下臼１１と前記下臼ホルダ１２は、前記排出口１１ｅと排出部１２ｂとが周方向において相互に合致し、かつ、排出端１１ｉと排出端１２ｄとが同一高さか或いは排出端１１ｉが下臼ホルダ１２の排出端１２ｄより若干高くなるようにして嵌合されている。
【００２３】
そして、下臼１１に固着した前記位置決め保持部材１３の位置決め用溝１３ａを、図１に示すように、本体ケース３に設けた突起部３ａに嵌合して、前記下臼ホルダ１２に設けた排出口１２ｂを、図１に示すように、本体ケース３に着脱可能に配置したカップ１４上に位置させるようになっている。なお、前記位置決め保持部材１３の中央部には軸挿通穴１３ｂが形成され、該軸挿通穴１３ｂ内に前記の駆動軸８が回転可能に挿通されている。
【００２４】
本体ケース３の外周の一部にはカップ収納凹部１５が形成され、該収納凹部１５の底面１５ａは、前側から奥部に至るにつれて下降する傾斜面に形成されている。そして、該収納凹部１５ａに、無色透明の合成樹脂製のカップ１４が着脱可能に収納されている。
【００２５】
前記下臼１１内には、その粉砕面１１ａに沿った擂鉢状の粉砕面１６ａを外側面に形成した上臼１６が回転可能に嵌合配置されている。該上臼１６はアルミナ磁器、普通磁器、陶器等のセラミックス製からなる擂鉢状に形成され、その粉砕面１６ａは、図３に示すように、複数の平行溝からなる主溝１６ｂと、その主溝１６ｂに対して向きを変えた副溝１６ｃが、周方向に交互に配置して形成されている。また、底壁中央部には軸穴１６ｄが形成され、該軸穴１６ｄには上臼ホルダ１７が嵌合され、接着剤等により上臼１６に止着されている。該上臼ホルダ１７の内側には前記駆動軸１０に固着状態に嵌合する回転板１８が設けられており、該回転板１８を駆動軸１０に嵌合することにより、駆動軸１０の回転が上臼１６に伝達するようになっている。すなわち、駆動軸１０の回転により上臼１６が回転するようになっている。
【００２６】
上臼１６の周壁の下部には投入口１６ｅが上下方向に貫通して設けられており、上臼１６内の被粉砕物Ｂが投入口１６ｅを通じて、下臼の粉砕面１１ａと上臼１６の粉砕面１６ａとの間の第２粉砕部１９間に供給されるようになっている。
【００２７】
上臼１６の外側上部は、図１、図３及び図５に示すように、切欠部１６ｆを形成して、内側が高く外側が低い２段面に形成されており、その外側の面が略水平面で外側が開放された受面１６ｇに形成され、また、該受面１６ｇの内側に、該受面１６ｇ上の被粉砕物が上臼１６の上端を乗り越えて上臼１６の内側へこぼれないようにする壁部１６ｈが形成されている。該切欠部１６ｆ、すなわち受面１６ｇは上臼１６の全周にわたって形成されている。
【００２８】
更に、前記受面１６ｇは、図１及び図５に示すように、下臼１１と上臼１６を嵌合した状態において、受面１６ｇが下臼１１の上端面１１ｇよりも下方に位置するように、すなわち、受面１６ｇを上端面１１ｇよりも低くして形成されている。
【００２９】
前記嵌合された下臼１１と上臼１６の上部、すなわち、第２粉砕部１９の上部を被覆するように内蓋２０が、下臼１１の上部外周面に着脱可能に嵌合して設けられており、該内蓋２０は下臼１１に保持された状態で回転しない。
【００３０】
該内蓋２０は合成樹脂で形成されており、図４に示すように外周部に前記下臼１１の上部外周面に嵌合する環状の嵌合壁２０ａと、該嵌合壁２０ａの上部において嵌合壁２０ａより小径に形成された周壁部２０ｂと、天壁２０ｃとが一体成形されている。前記嵌合壁２０ａと周壁部２０ｂには、前記下臼１１における排出口１１ｅに位置して開口部２０ｄが形成されており、第２粉砕部１９の上端から被粉砕物（粉体）が排出口１１ｅを通って排出部１２ｂへ排出するのを、内蓋２０が支承とならないようにしている。
【００３１】
また、小径の周壁部２０ｂを形成することにより、図６に示すように、その段部２０ｅが下臼１１の上端面１１ｇに当接し、排出口１１ｅ以外の部分で、被粉砕物（粉体）が下臼１１外へこぼれないようにしている。
【００３２】
前記内蓋２０の内周部には、図４及び図６に示すように、合成樹脂製の止部材２０ｆが、前記上臼１１の切欠部１６ｆにおける受面１６ｇと壁部１６ｈの外面に接触または近接するような形状で内蓋２０と一体成形されている。更に、該止部材２０ｆは、板状に形成されているとともに、図６（ｂ）に示すように、下臼１６の排出口１１ｅにおける上臼１６の回転方向Ａの下流側に位置するように配置されており、上臼１１の受面１６ｇ上に載置されて上臼１１の回転により排出口１１ｅに移送されてきた被粉砕物（粉体）を、掻き集めるように止部材２０ｆで止めて、排出口１１ｅから落下させるようになっている。なお、前記止部材２０ｆは、下臼１６の排出口１１ｅにおける一端側、すなわち、上臼１６の回転方向の下流側に形成した位置決め凹部１１ｊに嵌合して位置決めされるようになっている。
【００３３】
なお、この止部材２０ｆの位置決めは、図８の第２実施例に示すように、止部材２０ｆの下部に、前記下臼１１に形成した排出口１１ｅに嵌入する突片２０ｇを一体形成し、該突片２０ｇを図８（ｂ）に示すように、排出口１１ｅの一端面、すなわち、上臼１６の回転方向の下流側に位置する面１１ｋに当接させて位置決めするようにしてもよい。
【００３４】
また、前記内蓋２０は、上部ケース４と一体化させてもよい。
前記内蓋２０の天壁２０ｃの中央部には穴２０ｈが形成されており、該穴２０ｈを通じて、上部ケース４側に設けた第１粉砕部２１が前記上臼１６内に配置されるようになっている。
【００３５】
前記第１粉砕部２１は、上部ケース４の上部中央に投入口２２を有して形成したホッパー部２３と、該ホッパー部２３の下部に設けた粉砕機構２４とからなり、前記回転軸１０を前記ホッパー２３部内へ突出され、該回転軸１０の上部に、外周に螺旋状の送り溝を形成したスクリュ２５を螺着して、前記粉砕機構２４の回転刃を回転軸１０と一体的に回転させるようになっている。
【００３６】
前記上部ケース４における投入口２２にはキャップ５が着脱可能に備えられている。
【００３７】
次に本実施例の作用について説明する。
粉砕機１は、不使用時は例えば食器棚等に保管され、使用時には食卓などのテーブル上に置かれて使用される。
【００３８】
使用時には電源コード７を家庭用交流電圧１００Ｖコンセントに接続し、キャップ５を上部ケース４より取り外し、ホッパー２３内に緑茶等の被粉砕物Ｂを入れてキャップ５を被せる。
【００３９】
次に、本体ケース３に設けられている図示しないタイマースイッチを所定時間にセットすると、電源より駆動用モータ６に電気が供給され、駆動用モータ６が回転動作する。
【００４０】
この回転により回転軸１０が回転してスクリュ２５と粉砕機構２４の回転刃が回転し、スクリュ２５の外周に刻設された送り溝により、被粉砕物Ｂが第１粉砕部２１の粉砕機構２４に送り込まれ、該第１粉砕部２１により被粉砕物Ｂが粗挽される。粗挽された被粉砕物Ｂは、粗粉体Ｂ１となって上臼１６の投入口１６ｅから上下臼１１，１６の粉砕面１１ａ，１６ａ間で構成される第２粉砕部１９に送り込まれる。
【００４１】
粉砕面１１ａ，１６ａ間に送りこまれた粗粉体Ｂ１は、上臼１６の回転によって粉砕面１１ａ，１６ａ間で擂られながら上昇し、微粉体（粉末）Ｂ２となって粉砕面１１ａ，１６ａの上端全周から排出され、更に、下臼１１に傾斜して形成された排出口１１ｅから排出部１２ｂに滑り落ち、該排出部１２ｂの下部に装着したカップ１４内に落下し、貯溜される。
【００４２】
また、下臼１１の排出口１１ｅから排出されなかった微粉体Ｂ２は、下臼１１の上端面１１ｇよりも低い位置に形成した上臼１６の受面１６ｇ上に溜る。この受面１６ｇ上に溜った微粉体Ｂ２は、上臼１６の回転により回転する受面１６ｇとともに前記排出口１１ｅに回転移送され、排出口１１ｅにおける下流側に配置された止部材２０ｆに当って掻き集められるようにして排出口１１ｅへ落下排出され、排出部１２ｂからカップ１４内へ落下する。
【００４３】
タイマースイッチにより設定した時間が経過すると、タイマースイッチにより自動的に駆動用モータ６への給電が停止し、駆動用モータ６が停止する。この停止の確認後、電源コード７をコンセントから抜き取り、前記のように微粉体Ｂ２が溜められたカップ１４を本体ケース３から取り外し、その微粉体Ｂ２をカップ１４から出して使用する。
【００４４】
図９及び図１０は第３実施例を示す。
本第３実施例は、前記第１実施例における下臼ホルダ１２の変形例で、前記下臼ホルダ１２に一体形成した排出部１２ｂを、筒状に形成することなく樋状に形成したものである。
【００４５】
その他の構造は前記第１実施例と同様であるため、同一部分には前記と同一符号を付してその説明は省略する。
【００４６】
本第３実施例においても前記第１実施例と同様の作用、効果を発揮する。
図１１乃至図１５は第４実施例を示す。
【００４７】
本第４実施例は、前記第１実施例における上臼１６の受面１６ｇを、外側が下降するテーパ面に形成し、また、前記第１実施例における内蓋２０に設けた止部材２０ｆを無くしたものである。なお、本第４実施例の受面１６ｇは、その外側端を下臼１１における排出口１１ｅの内側端１１ｆと同一面か或いは排出口１１ｅの内側端１１ｆよりも高く形成されている。
【００４８】
その他の構造は前記第１実施例と同様であるため、前記と同一部分には前記と同一符号を付してその説明を省略する。
【００４９】
本第４実施例においては、前記受面１６ｇが傾斜して形成されているため、受面１６ｇ上に載置されて排出口１１ｅに位置した微粉体Ｂ２は、受面１６ｇ上を滑り落ちて排出口１１ｅに排出される。そのため、前記第１実施例における止部材２０ｆを無くすこともできる。
【００５０】
なお、本第４実施例において、受面１６ｇ上に放射方向の突部を、周方向において部分的に設けることにより、受面１６ｇ上に載置された微粉体を、受面１６ａの回動とともに排出口１１ｅ部へより確実に供給することができる。
【００５１】
【発明の効果】
以上のようであるから本発明によれば、粉砕面間から排出された粉体を排出口へ移送する際において、前記従来のような静電気を帯電させないため、前記従来のように、静電気により粉体が排出口に付着してブリッジ状に成長して排出口を詰まらせることがなく、また、静電気の帯電により粉体の清掃が困難になることも防止できる。
【００５２】
また、前記従来のような受け皿部を形成する部材やヘラ部材を無くすことができ、粉砕機の小型化およびコストダウンを図ることができる。このように小型化できることにより、従来のものに比べて卓上に置く場合の占有面積が小さくなり、他の物の邪魔になることを少なくし、また、棚等への保管も便利になる。
【図面の簡単な説明】
【図１】本発明の第１実施例を示す粉砕機の縦断面図。
【図２】図１における下臼を示すもので、（ａ）は平面図、（ｂ）は正面図、（ｃ）は（ａ）におけるＣ−Ｃ線断面図。
【図３】図１における上臼を示すもので、（ａ）は平面図、（ｂ）は正面図、（ｃ）は底面図。
【図４】図１における内蓋を示すもので、（ａ）は平面図、（ｂ）は正面図、（ｃ）は底面図、（ｄ）は（ａ）におけるＤ−Ｄ線断面図。
【図５】図１における上下臼を合わせた組付状態を示すもので、（ａ）は平面図、（ｂ）は正面図、（ｃ）は（ａ）におけるＥ−Ｅ線断面図。
【図６】図５の状態において内蓋を被せた状態を示すもので、（ａ）は平面図、（ｂ）は正面図、（ｃ）は（ａ）におけるＦ−Ｆ線断面図。
【図７】図１における下臼ホルダーを示すもので、（ａ）は平面図、（ｂ）は（ａ）におけるＧ−Ｇ線断面図、（ｃ）は底面図、（ｄ）は正面図。
【図８】本発明の第２実施例を示すもので、上下臼と内蓋を組み付けた状態であって、（ａ）は平面図、（ｂ）は正面図、（ｃ）は（ａ）におけるＨ−Ｈ線断面図。
【図９】本発明の第３実施例を示す粉砕機の縦断面図。
【図１０】図９における下臼ホルダーを示すもので、（ａ）は平面図、（ｂ）は（ａ）におけるＩ−Ｉ線断面図、（ｃ）は底面図、（ｄ）は正面図。
【図１１】本発明の第４実施例を示す粉砕機の縦断面図。
【図１２】図１１における上臼を示すもので、（ａ）は平面図、（ｂ）は正面図、（ｃ）は底面図。
【図１３】図１１における上下臼を合わせた組付状態を示すもので、（ａ）は正面図、（ｂ）は（ａ）におけるＪ−Ｊ線断面図。
【図１４】図１１における内蓋を示すもので、（ａ）は平面図、（ｂ）は正面図、（ｃ）は底面図、（ｄ）は（ａ）におけるＫ−Ｋ線断面図。
【図１５】図１３の状態において内蓋を被せた状態を示すもので、（ａ）は平面図、（ｂ）は正面図、（ｃ）は（ａ）におけるＬ−Ｌ線断面図。
【符号の説明】
１１　　下臼
１１ａ　粉砕面
１１ｅ　排出口
１１ｈ　底面
１２　　上臼
１２ａ　粉砕面
１６ｇ　受面
１６ｈ　壁部
２０　　内蓋
２０ｆ　止部材
【図１】
2004017010.tif 000003
【図２】
2004017010.tif 000004
【図３】
2004017010.tif 000005
【図４】
2004017010.tif 000006
【図５】
2004017010.tif 000007
【図６】
2004017010.tif 000008
【図７】
2004017010.tif 000009
【図８】
2004017010.tif 000010
【図９】
2004017010.tif 000011
【図１０】
2004017010.tif 000012
【図１１】
2004017010.tif 000013
【図１２】
2004017010.tif 000014
【図１３】
2004017010.tif 000015
【図１４】
2004017010.tif 000016
【図１５】
2004017010.tif 000017